(57)【要約】      （修正有）【課題】扉が施錠されている場合においても、訪問者が居住者の状況を推測することができる計測装置及び計測システムを提供する。【解決手段】計測装置１は、開閉部が開いた状態から閉じた状態になったことを検知し、検知部１２により開閉部が閉じた状態になったことが検知されてからの時間を計測する。計測された時間が２４時間以下である場合には、計測された時間を表示部１１に表示し、計測された時間が２４時間以下でない場合には、計測された時間に基づいて開閉部が閉じてから経過した日数を求め、求められた日数を表示部１１に表示する。【選択図】図１
2016146011.tif 000002
【特許請求の範囲】
【請求項１】
開口が形成された部材に設けられた開閉部により、前記開口が開いた状態から閉じた状態になったことを検知する検知部と、
前記検知部により前記開口を閉じた状態になったことが検知されてからの時間を計測する計測部と、
表示部と、
前記計測部により計測された時間が２４時間以下である場合には、前記計測された時間を前記表示部に表示させ、前記計測部により計測された時間が２４時間以下でない場合には、前記計測された時間に基づいて前記開口が閉じた状態になってから経過した日数を求め、前記求められた日数を前記表示部に表示させる制御部と、
を備えることを特徴とする計測装置。
【請求項２】
前記制御部は、前記日数が第１の閾値以上である場合には、前記表示部に警告表示を表示させることを特徴とする請求項１に記載の計測装置。
【請求項３】
前記制御部は、前記開口が閉じた状態になったことを前記検知部が検知していない場合、又は前記日数が第２の閾値以上である場合には、前記表示部に何も表示させないことを特徴とする請求項１又は２に記載の計測装置。
【請求項４】
計測装置と、ネットワークを介して前記計測装置に接続された表示装置と、を備えた計測システムであって、
前記計測装置は、
開口が形成された部材に設けられた開閉部により、前記開口が開いた状態から閉じた状態になったことを検知する検知部と、
前記検知部により前記開口を閉じた状態になったことが検知されてからの時間を計測する計測部と、
前記計測部により計測された時間が２４時間以下である場合には、前記計測された時間の情報を前記表示装置に出力し、前記計測部により計測された時間が２４時間以下でない場合には、前記計測された時間に基づいて前記開口を閉じた状態になってから経過した日数を求め、前記求められた日数の情報を前記表示装置に出力する制御部と、を有し、
前記表示装置は、前記制御部から出力された時間又は日数の情報に基づいて、前記計測された時間又は前記求められた日数を表示することを特徴とする計測システム。
【発明の詳細な説明】
【技術分野】
【０００１】
本発明は、計測装置及び計測システムに関する。
【背景技術】
【０００２】
特許文献１には、本体ケース内に、ドア等の開閉を検知する検知部と、該検知部で検知された信号を処理する制御部と、該制御部で処理された信号に基づき警報信号をコントローラに送信する送受信部と、を備えたドア等開閉検知センサが開示されている。
【先行技術文献】
【特許文献】
【０００３】
【特許文献１】特開２００９−１２８９５５号公報
【発明の概要】
【発明が解決しようとする課題】
【０００４】
一人暮らしの高齢者に限らず、一人暮らしの障害者や病人等、孤独死が発生するおそれがある。 そのため、マンションの管理員又は民生員など（訪問者）が、孤独死のリスクがある人の住宅を巡回することが行われている。
【０００５】
しかしながら、特許文献１に記載の発明では、扉等の開閉部が施錠されている場合には、訪問者が孤独死のリスクがある居住者と接触できないため、居住者宅を訪問したとしても、訪問者は、居住者の状況を推測することができないという問題がある。
【０００６】
本発明はこのような事情に鑑みてなされたもので、訪問時に開閉部が施錠されていても、訪問者が内部の状況を推測することができる計測装置及び計測システムを提供することを目的とする。
【課題を解決するための手段】
【０００７】
上記課題を解決するために、本発明に係る計測装置は、例えば、開口が形成された部材に設けられた開閉部により、前記開口が開いた状態から閉じた状態になったことを検知する検知部と、前記検知部により前記開口を閉じた状態になったことが検知されてからの時間を計測する計測部と、表示部と、前記計測部により計測された時間が２４時間以下である場合には、前記計測された時間を前記表示部に表示させ、前記計測部により計測された時間が２４時間以下でない場合には、前記計測された時間に基づいて前記開口が閉じた状態になってから経過した日数を求め、前記求められた日数を前記表示部に表示させる制御部と、を備えることを特徴とする。
【０００８】
本発明に係る計測装置によれば、開口が形成された部材に設けられた開閉部が、開口が開いた状態から閉じた状態になったことが検知されてからの時間を計測し、計測された時間が２４時間以下である場合には、計測された時間を表示部に表示し、計測された時間が２４時間以下でない場合には、計測された時間に基づいて日数を求め、この日数を表示部に表示する。これにより、訪問時に開閉部が施錠されていても、訪問者が内部の状況を推測することができる。例えば、開閉部が閉じてからの日数が所定の閾値より多い場合は、訪問者は、室内で異常が発生したと推測することができる。また、計測された時間又は計測された時間に基づいた日数を表示することで、表示が簡潔になり、訪問者が経過時間や経過日数を容易に把握することができる。
【０００９】
ここで、前記制御部は、前記日数が第１の閾値以上である場合には、前記表示部に警告表示を表示させてもよい。これにより、訪問者が通常状態ではないことを容易に認識することができる。
【００１０】
ここで、前記制御部は、前記開口が閉じた状態になったことを前記検知部が検知していない場合、又は前記日数が第２の閾値以上である場合には、前記表示部に何も表示させなくてもよい。これにより、電力の消費を抑えることができる。特に、電池を用いる場合には、電力の消費を抑えることは重要である。
【００１１】
上記課題を解決するために、本発明に係る計測システムは、例えば、計測装置と、ネットワークを介して前記計測装置に接続された表示装置と、を備えた計測システムであって、前記計測装置は、開口が形成された部材に設けられた開閉部により、前記開口が開いた状態から閉じた状態になったことを検知する検知部と、前記検知部により前記開口を閉じた状態になったことが検知されてからの時間を計測する計測部と、前記計測部により計測された時間が２４時間以下である場合には、前記計測された時間の情報を前記表示装置に出力し、前記計測部により計測された時間が２４時間以下でない場合には、前記計測された時間に基づいて前記開口を閉じた状態になってから経過した日数を求め、前記求められた日数の情報を前記表示装置に出力する制御部と、を有し、前記表示装置は、前記制御部から出力された時間又は日数の情報に基づいて、前記計測された時間又は前記求められた日数を表示することを特徴とする。これにより、訪問時に開閉部が施錠されていても、訪問者が内部の状況を推測することができる。
【発明の効果】
【００１２】
本発明によれば、訪問時に開閉部が施錠されていても、訪問者が内部の状況を推測することができる。
【図面の簡単な説明】
【００１３】
【図１】本発明の一例である計測装置１の概略を示す斜視図である。
【図２】計測装置１の電気的な構成を示すブロック図である。
【図３】計測装置１のハードウェア構成の一例を示した図である。
【図４】表示部の表示例を示す図であり、（Ａ）は、数値表示領域に時間を表示した例であり、（Ｂ）は、数値表示領域に日数を表示した例である。
【図５】表示部の変形例を示す図である。
【図６】計測システム３の電気的な構成を示すブロック図である。
【図７】計測装置２Ａ及び表示端末２Ｂのハードウェア構成の一例を示した図である。
【発明を実施するための形態】
【００１４】
以下、本発明の実施形態を、図面を参照して詳細に説明する。
【００１５】
＜第１の実施の形態＞
図１は、計測装置１の概略を示す斜視図である。計測装置１は、例えば、部材（例えば、壁）５２に形成された開口部（例えば、出入り口）を開けた状態にしたり、閉じた状態にしたりするドア５０等に設けられる。部材５２には、開口部を覆うようにドア枠５１が設けられる。ドア５０は、ドア枠５１又は部材５２に、回動可能に設けられる。
【００１６】
計測装置１は、主として、ケース１０と、表示部１１と、検知部１２と、マグネット１３と、を有する。また、ケース１０の外側には、表示部１１が設けられ、ケース１０の内部には、検知部１２、計測部１５、制御部１６、電源１７等（後に詳述）が設けられる。
【００１７】
ケース１０は、略直方体の部材であり、両面テープ等によりドア５０の外側の面に貼付される。なお、ケース１０の形状は略直方体に限定されない。ここで、略直方体とは、直方体に限定されず、角が丸みを帯びている形態や、辺が曲線である場合を含む概念である。
【００１８】
表示部１１は、例えば液晶モニタ、有機ＥＬパネル等の表示部材である。液晶モニタ、有機ＥＬパネル等の表示部材は、すでに公知であるため、説明を省略する。
【００１９】
表示部１１は、ケース１０のドア５０に貼付される面と反対側の面に設けられる。これにより、ケース１０をドア５０に取り付けた状態において、訪問者が表示部１１を視認可能となる。表示部１１には、時間又は日数が表示される。表示部１１の表示形態等については、後に詳述する。
【００２０】
検知部１２は、ドア５０やドア枠５１に接触することなくドア５０の開閉を検知する近接センサである。検知部１２には、磁気形近接センサ、誘導形近接センサ、静電容量形近接センサ等の様々な近接センサを用いることができる。本実施の形態では、検知部１２として、例えば、ドア枠５１にマグネット１３を設け、マグネット１３が生成する磁界によって、接点が開放又は閉成されるリードスイッチを用いる。リードスイッチは、すでに公知であるため、説明を省略する。
【００２１】
図１においては、検知部１２はケース１０の内部に設けられているが、検知部１２をケース１０の外側に設けてもよい。マグネット１３は、マグネット１３の強度やドア枠５１の大きさによっては、部材５２に設けてもよい。
【００２２】
なお、本実施の形態では、ドア５０は左開きであるため、ドア５０の左端近傍にケース１０を設け、ケース１０の左側に検知部１２が設けられ、ドア５０が閉じたときに検知部１２の左側に位置するようにマグネット１３がドア枠５１に設けられるが、ドア５０が右開きの場合には、ケース１０及びマグネット１３の位置を反対にすればよい。例えば、ケース１０の右側に検知部１２を設け、ケース１０をドア５０の右端近傍に設け、ドア枠５１の、ドア５０が閉じたときに検知部１２の右側に位置する部分にマグネット１３を設ければよい。なお、右端近傍、左端近傍とは、厳密に右端、左端である場合に加え、ドア枠５１に設けられたマグネット１３と、ケース１０の端との距離が、検知部１２の検知範囲内（例えば、１０ｍｍ程度）となる場合を含む概念である。
【００２３】
また、本実施の形態では、ケース１０をドア５０に設け、マグネット１３をドア枠５１（又は部材５２）に設けたが、ケース１０をドア枠５１に設け、マグネット１３をドア５０に設けてもよい。
【００２４】
図２は、計測装置１の電気的な構成を示すブロック図である。ケース１０の内部には、計測部１５、制御部１６、電源１７が設けられており、これらは表示部１１、検知部１２と電気的に接続されている。
【００２５】
計測部１５は、ドア５０が閉まった（ドア５０が、部材５２に形成された開口部を閉じた）ことを検知部１２が検知してから経過した時間を計測する。計測部１５は、ドア５０が開いたことを検知部１２が検知すると、計測した時間をリセットし、計測時間を０に戻す。そして、計測部１５は、ドア５０が閉まったことを検知部１２が検知すると、再度、初期状態から時間の計測を開始する。計測部１５としては、タイマー、ストップウォッチ等のすでに公知の様々な技術を用いることができるため、説明を省略する。なお、計測部１５は、制御部１６に含まれていてもよい。
【００２６】
制御部１６は、計測部１５により計測された時間が２４時間以下の場合には、計測部１５により計測された時間を表示部１１に表示させる。
【００２７】
また、制御部１６は、計測部１５により計測された時間が２４時間以上となった場合には、計測された時間に基づいて、ドア５０が閉じてから経過した日数を求める。例えば、制御部１６は、計測部１５により計測された時間を２４で割ったときの整数部分を、ドア５０が閉じてから経過した日数として算出する。具体的には、計測部１５により計測された時間が５０時間の場合には、制御部１６は、５０を２４で割ったときの整数部分である２を、ドア５０が閉じてから経過した日数として算出する。制御部１６は、ドア５０が閉じてから経過した日数を表示部１１に表示させる。
【００２８】
制御部１６は、ドア５０が閉まったことを検知部１２が検知していない場合には、表示部１１に何も表示させない。これにより、電力の消費を抑えることができる。なお、制御部１６は、ドア５０が閉まったことを検知部１２が検知していない場合には、表示部１１に「０」を表示してもよい。
【００２９】
制御部１６が数字等の文字情報を表示部１１に表示（表示には、常時表示、点滅表示等を含む）させる方法は、すでに公知であるため、説明を省略する。
【００３０】
また、制御部１６は、ドア５０が閉まっていない場合（ドア５０が閉まったことを検知部１２が検知していない場合）には、電源１７から計測部１５、制御部１６等への電力供給を停止してもよい。これにより、ドア５０が閉まっていない場合に計測装置１を動作しないようにし、電力の消費を抑えることができる。
【００３１】
電源１７は、例えば乾電池、蓄電池等である。電源１７を計測装置１に内蔵するため、専門家による電気工事が不要であり、停電や落雷による影響が低減できる。
【００３２】
なお、図２に示す機能構成は、計測装置１の構成を理解しやすくするために主な処理内容に応じて分類したものであり、構成要素の分類の仕方や名称は図２に記載の形態に限定されない。計測装置１の構成は、処理内容に応じて、さらに多くの構成要素に分類してもよいし、１つの構成要素が複数の構成要素の処理を実行してもよい。
【００３３】
図３は、計測装置１のハードウェア構成の一例を示した図である。計測装置１は、例えば、ＣＰＵ（Ｃｅｎｔｒａｌ Ｐｒｏｃｅｓｓｉｎｇ Ｕｎｉｔ）１０１と、ＲＡＭ（Ｒａｎｄｏｍ Ａｃｃｅｓｓ Ｍｅｍｏｒｙ）１０２と、ＲＯＭ（Ｒｅａｄ Ｏｎｌｙ Ｍｅｍｏｒｙ）１０３と、入出力インターフェース１０４と、を備える。
【００３４】
ＣＰＵ１０１は、ＲＡＭ１０２、ＲＯＭ１０３に格納されたプログラムに基づいて動作し、各部の制御を行う。また、ＲＯＭ１０３は、計測装置１の起動時にＣＰＵ１０１が実現するブートプログラムや、計測装置１のハードウェアに依存するプログラムなどを格納する。また、ＲＡＭ１０２は、ＣＰＵ１０１が実行するプログラム及びＣＰＵ１０１が使用するデータなどを格納する。また、ＣＰＵ１０１は、入出力インターフェース１０４を介して、表示部１１を制御する。
【００３５】
図３に示す計測装置１の構成は、本実施形態の特徴を説明するにあたって主要構成を説明したのであって、例えば一般的な情報処理装置が備える構成を排除するものではない。図２に示す各機能構成は、ＣＰＵ１０１が読み込んだ所定のプログラムを実行することにより構築される。さらに、図２に示す各機能構成の全て又は一部は、ＣＰＵ１０１でなく電気回路により実現されてもよい。
【００３６】
［動作の説明］
計測部１５は、ドア５０が閉まったことを検知部１２が検知していない場合には、計測時間を０にする。計測部１５は、ドア５０が閉まったことを検知部１２が検知すると、ドア５０が閉まったことを検知してから経過した時間を計測する。制御部１６は、ドア５０が閉まったことを検知してから経過した時間を表示部１１に表示させる。
【００３７】
制御部１６は、計測部１５により計測された時間が２４時間以上となった場合には、計測された時間に基づいて、ドア５０が閉じてから経過した日数を求める。そして、制御部１６は、ドア５０が閉じてから経過した日数を表示部１１に表示させる。
【００３８】
図４は、表示部１１の表示例を示す図である。表示部１１は、主として、数値表示領域１１ａを有する。数値表示領域１１ａには、計測部１５で計測された時間が表示される。また、数値表示領域１１ａには、制御部１６において、計測された時間に基づいて求められた日数が表示される。
【００３９】
図４（Ａ）は、数値表示領域１１ａに時間を表示した例であり、図４（Ｂ）は、数値表示領域１１ａに日数を表示した例である。図４では、数値表示領域１１ａとしてセグメントディスプレイを例示している。図４において、数値表示領域１１ａの点線は、表示されていないこと意味し、数値表示領域１１ａの実線は、表示されていることを意味する。
【００４０】
図４（Ａ）においては、数値表示領域１１ａに１：０８、すなわち１時間８分が表示されている。図４（Ｂ）においては、数値表示領域１１ａに００３、すなわち３日が表示されている。
【００４１】
制御部１６は、数値表示領域１１ａに日数を表示する場合には、２桁の日数表示の前に０を表示すること。また、制御部１６は、数値表示領域１１ａに日数を表示する場合には、数値表示領域１１ａに「：」を表示しない。このように、制御部１６は、数値表示領域１１ａに時間が表示されているか、日数が表示されているかを区別可能に表示する。したがって、数値表示領域１１ａには、９９９日まで表示可能である。
【００４２】
なお、制御部１６は、ドア５０が閉じてから経過した日数が閾値以上の場合に、警告表示として、数値表示領域１１ａに表示される数字を点滅表示させてもよい。警告表示を行うことで、訪問者が通常状態ではないことを容易に認識できる。
【００４３】
本実施の形態によれば、数値表示領域１１ａにドア５０が閉じてから経過した時間又は日数を表示するため、ドア５０の外にいる訪問者が、ドア５０の内部にいる居住者の異常を早期に発見することができる。例えば、計測装置１を見た訪問者は、ドア５０が閉じてからの日数（数値表示領域１１ａの表示）が所定の閾値（例えば、３日）より多い場合は、室内で異常が発生したと推測することができる。
【００４４】
特に、本実施の形態では、２４時間以上ドア５０が開いていない場合には、時間を表示せず、日数を表示することで、表示が簡潔になり、訪問者が経過時間や経過日数を容易に把握することができる。計測装置１の性質（居住者の異常発見）上、ドア５０が閉じてから２４時間以下の場合よりも、ドア５０が閉じてから２４時間以上、すなわち日数が１日以上経過した場合が重要である。そのため、表示部１１に日数のみを表示することは、居住者の異常を推測するのに特に有効である。
【００４５】
また、本実施の形態によれば、ドア５０の開閉という生活する上で無くてはならない行為を検知するため、居住者に監視を意識させることが無い。また、電源１７を入れたケース１０及びマグネット１３をドア５０、ドア枠５１等に貼付するだけであるため、居住者や訪問者への負担を無くすことができる。
【００４６】
さらに、本実施の形態によれば、構造及び仕組みが簡単であるため、低価格で計測装置１を提供できる。
【００４７】
なお、本実施の形態では、ドア５０、ドア枠５１に計測装置１を取り付けたが、ドア５０、ドア枠５１に計測装置１を内蔵してもよい。例えば、ケース１０をドア５０に内蔵し、マグネット１３をドア枠５１に内蔵すれば、見栄えを良くすることができる。
【００４８】
また、本実施の形態の計測装置１に、計測装置１の動作をＯＮ／ＯＦＦするＯＮ／ＯＦＦスイッチを追加しても良い。計測装置１の動作が不要な場合（例えば、居住者が外出している場合）にＯＮ／ＯＦＦスイッチをＯＦＦに切り替える。例えば、制御部１６は、ＯＮ／ＯＦＦスイッチがＯＦＦに切り替えられている場合には、計測装置１が動作しないように、電源１７から表示部１１、計測部１５等への電力供給を停止する。これにより、電力の消費が抑えられる。
【００４９】
また、制御部１６は、ドア５０が閉じてから経過した日数が閾値（例えば、１００日）以上の場合には、計測装置１が動作しないように、電源１７からの電力供給を停止してもよい。この場合の閾値は、電源１７が動作可能な日数（寿命）から求めることが望ましい。求められた値は、ＲＯＭ１０３に格納しておく。この閾値は、計測装置１の性質（居住者の異常発見）上必要な日数より大きいのであれば、どのような値でもよい。
【００５０】
＜第１の実施の形態の変形例＞
第１の実施の形態では、数値表示領域１１ａにはドア５０を閉めてから経過した時間又は日数が表示されるが、表示部１１の表示形態はこれに限られない。
【００５１】
図５は、表示部１１Ａの変形例を示す図である。例えば、表示部１１Ａは、数値表示領域１１ａと、警告ランプ１１ｂを有する。制御部１６は、ドア５０が閉じてから経過した日数が閾値（例えば、３日）以上の場合には、数値表示領域１１ａに日数を表示させると共に、警告ランプ１１ｂを点灯させる。これにより、分かりやすい警告表示を行うことができる。なお、この閾値は任意に設定可能であり、設定した値をＲＯＭ１０３に格納しておけばよい。
【００５２】
＜第２の実施の形態＞
第１の実施の形態では、数値表示領域１１ａにドア５０が閉じてから経過した日数を表示したが、ドア５０が閉じてから経過した日数を表示する形態はこれに限られない。
【００５３】
第２の実施の形態は、計測装置１に接続された機器等にドア５０が閉じてから経過した日数を表示する形態である。以下、第２の実施の形態に係る計測装置２Ａを含む計測システム３について詳細に説明する。なお、計測装置２Ａの外観及び機械的な構成は、計測装置１と同一であるため、図示及び説明を省略する。また、第２の実施の形態において、第１の実施の形態と同一の部分については、同一の符号を付し、詳細な説明を省略する。
【００５４】
図６は、本発明の計測システム３の電気的な構成を示すブロック図である。計測システム３は、主として、計測装置２Ａと、表示端末２Ｂと、計測装置２Ａと表示端末２Ｂとを接続するネットワーク２Ｃとを有する。計測装置２Ａは、ドア５０が閉じてから経過した日数等の情報を、ネットワーク２Ｃを介して、表示端末２Ｂに提供する。
【００５５】
計測装置２Ａは、主として、ケース１０と、表示部１１と、検知部１２と、マグネット１３と、計測部１５と、制御部１６Ａと、電源１７と、を有する。
【００５６】
制御部１６Ａは、制御部１６の全ての機能を有する。さらに、制御部１６Ａは、計測部１５により計測された時間の情報又はドア５０が閉じてから経過した日数の情報を、ネットワーク２Ｃを介して表示端末２Ｂに出力する。
【００５７】
表示端末２Ｂは、例えばパーソナルコンピュータ、携帯端末等であり、主として表示部２１と、制御部２２と、を有する。表示部２１は、表示部１１と同様に、例えば液晶モニタ、有機ＥＬパネル等の表示部材である。制御部２２は、制御部１６Ａから出力された時間又は日数の情報に基づいて、時間又は日数を表示部２１に表示させる。制御部２２の作用及び構成は、制御部１６、１６Ａと同様であるため、詳細な説明を省略する。
【００５８】
なお、図６に示す機能構成は、計測装置２Ａ及び表示端末２Ｂの構成を理解しやすくするために主な処理内容に応じて分類したものであり、構成要素の分類の仕方や名称は図６に記載の形態に限定されない。計測装置２Ａ及び表示端末２Ｂの構成は、処理内容に応じて、さらに多くの構成要素に分類してもよいし、１つの構成要素が複数の構成要素の処理を実行してもよい。
【００５９】
図７は、計測装置２Ａ及び表示端末２Ｂのハードウェア構成の一例を示した図である。計測装置２Ａ及び表示端末２Ｂは、プログラムに従って動作する情報処理装置（例えば、パーソナルコンピュータなど）によって実現される。
【００６０】
計測装置２Ａ及び表示端末２Ｂは、例えば、ＣＰＵ（Ｃｅｎｔｒａｌ Ｐｒｏｃｅｓｓｉｎｇ Ｕｎｉｔ）１０１と、ＲＡＭ（Ｒａｎｄｏｍ Ａｃｃｅｓｓ Ｍｅｍｏｒｙ）１０２と、ＲＯＭ（Ｒｅａｄ Ｏｎｌｙ Ｍｅｍｏｒｙ）１０３と、入出力インターフェース１０４と、通信インターフェース１０５と、メディアインターフェース１０６と、を備える。
【００６１】
ＣＰＵ１０１は、入出力インターフェース１０４を介して、キーボードやマウス、表示部１１、２１等の入出力装置を制御する。通信インターフェース１０５は、ネットワークを介して他の機器からデータを受信してＣＰＵ１０１に送信すると共に、ＣＰＵ１０１が生成したデータを、当該ネットワークを介して他の機器に送信する。
【００６２】
メディアインターフェース１０６は、記録媒体１０７に格納されたプログラム又はデータを読み取り、ＲＡＭ１０２に格納する。なお、記録媒体１０７は、例えば、ＩＣカード、ＳＤカード、ＤＶＤなどである。
【００６３】
なお、各機能を実現するプログラムは、例えば、記憶媒体１０７から読み出されて、ＲＡＭ１０２を介して計測装置２Ａ及び表示端末２Ｂにインストールされ、ＣＰＵ１０１によって実行される。
【００６４】
図７に示す計測装置２Ａ及び表示端末２Ｂの構成は、本実施形態の特徴を説明するにあたって主要構成を説明したのであって、例えば一般的な情報処理装置が備える構成を排除するものではない。図７に示す各機能構成は、ＣＰＵ１０１が読み込んだ所定のプログラムを実行することにより構築される。さらに、図７に示す各機能構成の全て又は一部は、ＣＰＵ１０１でなく電気回路により実現されてもよい。
【００６５】
また、図６では、ネットワーク２Ｃに計測装置２Ａ及び表示端末２Ｂが１台ずつ接続されているが、ネットワーク２Ｃに接続される計測装置２Ａ及び表示端末２Ｂの数はこれに限定されない。例えば、ネットワーク２Ｃに複数の計測装置２Ａと１台の表示端末２Ｂとを接続してもよいし、ネットワーク２Ｃに１台の計測装置２Ａと複数の表示端末２Ｂとを接続してもよい。
【００６６】
［動作の説明］
以下、計測装置２Ａ及び表示端末２Ｂの動作について、第１の実施の形態と異なる部分を主に説明する。
【００６７】
計測部１５は、ドア５０が閉まったことを検知部１２が検知していない場合には、計測時間を０にする。計測部１５は、ドア５０が閉まったことを検知部１２が検知すると、ドア５０が閉まったことを検知してから経過した時間を計測する。制御部１６Ａは、計測部１５により計測された時間を表示部１１に表示させると共に、計測部１５により計測された時間を表示端末２Ｂへ出力する。
【００６８】
制御部１６Ａは、計測部１５により計測された時間が２４時間以上となった場合には、計測された時間に基づいて、ドア５０が閉じてから経過した日数を求める。そして、制御部１６Ａは、ドア５０が閉じてから経過した日数を表示部１１に表示させると共に、ドア５０が閉じてから経過した日数を表示端末２Ｂへ出力する。
【００６９】
制御部２２は、制御部１６Ａから出力された時間又は日数を取得すると、これを表示部２１に表示させる。
【００７０】
なお、計測装置２Ａ及び表示端末２Ｂの動作において、表示部１１への表示は必須ではない。しかしながら、訪問者が実際に訪問する場合を考慮すると、表示部１１及び表示部２１に表示を行うことが望ましい。
【００７１】
本実施の形態によれば、計測装置２Ａの表示部１１に加え、表示端末２Ｂの表示部２１にも、ドア５０が閉じてから経過した日数を表示することができる。これにより、ドア５０の近くの人のみでなく、表示端末２Ｂを所有する人も、ドア５０の内部にいる居住者の異常を早期に発見することができる。
【００７２】
例えば、訪問者が表示端末２Ｂを所有し、訪問前に表示端末２Ｂに表示された時間又は日数を確認することで、訪問者は、訪問前に居住者の異変を推測し、ドア５０の解錠等を手配することができる。
【００７３】
また、本実施の形態によれば、１台の表示端末２Ｂに複数の計測装置２Ａを接続することで、１人の訪問者が複数の居住者の状況を把握することができる。
【００７４】
なお、第１の実施の形態及び第２の実施の形態では、部屋のドア５０に計測装置１を取り付けたが、ロッカー、金庫等の扉に計測装置１を取り付けることも可能である。例えば、金庫の扉に計測装置１を取り付けると、使用者が、扉が開いたままになっていないか（扉が開いている場合には表示部１１に何も表示されない、又は「０」が表示される）確認することができる。また、例えば、鳥かご、動物用ケージ等の扉に計測装置１を取り付けると、使用者が、餌やりの時間（例えば、数値表示領域１１ａに表示された値が１２以上の場合には餌やりを行う）を確認することができる。また、例えば、障がい者用トイレ等のドアに計測装置１を取り付けると、管理者等が、障がい者用トイレ等の使用時間、すなわち障がい者の異常等を確認することができる。また、例えば、掃除道具入れ等の扉に計測装置１を取り付けると、使用者が、掃除間隔（例えば、数値表示領域１１ａに１が表示されたら掃除を行う）等を確認することができる。また、例えば、車のドアに計測装置１を取り付けることで、車の所有者が、車に乗っていない期間を確認することができる。例えば、車を長期間動かしていない場合には、車の所有者は、バッテリーの低下、タイヤの空気圧の低下等に注意すべきであると考えることができる。さらに、車のドアに計測装置２Ａを取り付け、車の所有者が表示端末２Ｂを所持することで、車の所有者等が、所有者等以外の者により車のドアが開けられたか否かを確認することができる。すなわち、計測装置２Ａ及び表示端末２Ｂを、車のセキュリティー装置として使用することができる。
【００７５】
また、第１の実施の形態及び第２の実施の形態では、ヒンジ（図１では図示せず）により開閉可能な部屋のドア５０に計測装置１を取り付けたが、ヒンジにより開閉させる開閉部のみならず、スライド式の窓等や、取り外し可能な蓋等に計測装置１を取り付けてもよい。すなわち、近接センサにより開閉が確認可能な開閉部であれば、計測装置１を使用することができる。例えば、窓にケース１０を取り付け、窓枠にマグネット１３を取り付けると、窓を閉めてからの時間が表示部１１に表示される。これにより、居住者が、窓を開ける時間（換気の時間）を確認することができる。また、例えば、鍋等調理道具の蓋にケース１０を取り付け、本体にマグネット１３を取り付けると、蓋をかぶせてから経過した時間が表示部１１に表示される。これにより、使用者が調理時間等を確認することができる。また、例えば、糠味噌等を入れた容器の蓋にケース１０を取り付け、本体にマグネット１３を取り付けると、蓋をかぶせてから経過した時間が表示部１１に表示される。これにより、使用者が糠味噌等をかき混ぜる時間、日数等を確認することができる。
【００７６】
以上、この発明の実施形態を、図面を参照して詳述してきたが、具体的な構成はこの実施形態に限られるものではなく、この発明の要旨を逸脱しない範囲の設計変更等も含まれる。例えば、上記の実施例は本発明を分かりやすく説明するために詳細に説明したものであり、必ずしも説明した全ての構成を備えるものに限定されるものではない。
【００７７】
また、実施形態の構成の一部を他の実施形態の構成に置き換えることが可能であり、また、実施形態の構成に他の構成の追加、削除、置換等をすることが可能である。
【００７８】
また、本発明において、「略」、「近傍」とは、厳密に同一である場合のみでなく、同一性を失わない程度の誤差や変形を含む概念である。例えば、端近傍とは、厳密に端の場合に限らず、同一性を失わない程度、例えば数センチ程度の誤差を含む概念である。
【符号の説明】
【００７９】
１、２Ａ    ：計測装置
２Ｂ        ：表示端末
２Ｃ        ：ネットワーク
３          ：計測システム
１０        ：ケース
１１、１１Ａ：表示部
１１ａ      ：数値表示領域
１１ｂ      ：警告ランプ
１２        ：検知部
１３        ：マグネット
１５        ：計測部
１６、１６Ａ：制御部
１７        ：電源
２１        ：表示部
２２        ：制御部
５０        ：ドア
５１        ：ドア枠
５２        ：部材
１０１      ：ＣＰＵ
１０２      ：ＲＡＭ
１０３      ：ＲＯＭ
１０４      ：入出力インターフェース
１０５      ：通信インターフェース
１０６      ：メディアインターフェース
１０７      ：記録媒体
【図１】
2016146011.tif 000003
【図２】
2016146011.tif 000004
【図３】
2016146011.tif 000005
【図４】
2016146011.tif 000006
【図５】
2016146011.tif 000007
【図６】
2016146011.tif 000008
【図７】
2016146011.tif 000009